(57)【要約】携帯用品は、携帯用本体と、携帯用本体上に配置された多数のパターンとを含む。パターンは、公開パターン、検出可能なパターン、可視パターン、埋め込みパターン、迷彩パターン、不可視パターン、方向パターン、集合パターン、外部パターン、内部パターン、照明パターン、適用パターン、および３次元パターンからなるグループから選択される。【選択図】図３
2021507140.tif 000002
【特許請求の範囲】
【請求項１】
検出システム（１）により認識可能に構成された携帯用品（１０）において、
携帯用本体（２０）と、
前記携帯用本体（２０）上に配置された多数のパターン（５０）
とを備えた、携帯用品（１０）。
【請求項２】
前記多数のパターン（５０）は、パブリックパターン（５２）、検出可能なパターン（５４）、レーダ増強パターン（５６）、可視パターン（５７）、埋め込みパターン（５８）、迷彩パターン（６０）、不可視パターン（６２）、方向パターン（６４）、集合パターン（６６）、外部パターン（６８）、内部パターン（７０）、イルミネートされたパターン（７２）、適用パターン（７４）、ハンドシェイクパターン（７７）、および３次元パターン（７６）からなるグループから選択されるパターンを含む、請求項１に記載の携帯用品（１０）。
【請求項３】
前記多数のパターン（５０）は、多数の検出可能なパターン（５４）を含み、前記多数の検出可能なパターン（５４）は、レーダ検出可能なパターンを含む、請求項１に記載の携帯用品（１０）。
【請求項４】
前記レーダ検出可能なパターンは、逆反射材料（ＳＯ）および金属糸（８２）からなるグループから選択される材料を含む、請求項３に記載の携帯用品（１０）。
【請求項５】
前記レーダ検出可能なパターンは、選択的に作動される、請求項３に記載の携帯用品（１０）。
【請求項６】
前記多数のパターン（５０）は、いくつかの検出可能なパターン（５４）を含み、
前記多数の検出可能なパターン（５４）は、配向パターン（６４）を含み、
前記配向パターン（６４）は、２つのデカルト座標軸を表すエレメントを含む、
請求項１に記載の携帯用品（１０）。
【請求項７】
前記多数のパターン（５０）は、多数の検出可能なパターン（５４）を含み、
前記多数の検出可能なパターン（５４）は、イルミネートされたパターン（７２）を含み、
前記イルミネートされた検出可能なパターンは、選択可能に作動されるように構成される、請求項１に記載の携帯用品（１０）。
【請求項８】
前記多数の検出可能なパターン（５０）は、多数検出可能なパターン（５４）を含み、
前記多数の検出可能なパターン（５４）は、集合パターン（６６）を含み、
前記集合パターン（６６）は、協調的構成（７９）に配置される、請求項１に記載の携帯用品（１０）。
【請求項９】
前記多数のパターン（５０）は、多数の検出可能なパターン（５４）を含み、
前記多数の検出可能なパターン（５４）は、３次元パターンを含み、
前記多数の検出可能なパターン（７６）は、強化された３次元パターンである、請求項１に記載の携帯用品（１０）。
【請求項１０】
前記パターン（５０）は識別子（１１０）である、請求項１に記載の携帯用品（１０）。
【請求項１１】
前記パターン（５０）が、前記携帯用本体（２０）上のいくつかの有効な場所に配置される、請求項１に記載の携帯用品（１０）。
【請求項１２】
前記携帯用本体（２０）が衣料品（１４）である、請求項１に記載の携帯用品（１０）。
【請求項１３】
前記携帯用本体（２０）がアクセサリ（１６）である、請求項１に記載の携帯用品（１０）。
【請求項１４】
前記携帯用本体（２０）は、ソナーパターン（８８）を含む、請求項１に記載の携帯用品（１０）。
【発明の詳細な説明】
【技術分野】
【０００１】
関連技術の相互参照
この出願は、２０１７年１２月１８日に出願の米国仮出願第６２／５９９８５２号の優先権を主張し、参照することによりここに組み込まれる。
【背景技術】
【０００２】
開示され請求された概念は、例えば、これに限定されないが、アパレルおよびアクセサリのような携帯用品に関し、特に、検出システムにより識別されるように構成されたパターンを含む携帯用品に関する。アパレル、アパレルアクセサリおよび他のアクセサリは、他目的のための種々のしるし（indicia）を含むことが知られている。一方では、一部のアパレル（通常はハンターや兵士向け）は、ユーザを隠すために環境と調和するように構成されている。他のアパレルは、通常、交通または建設の近くで働く人々のために、ユーザを目に見えるようにするために、明るいおよび/または対照的な色を含む。審美的な観点から、そのようなアパレルは必ずしも望ましいものではない。
【０００３】
自動運転車両を含むロボット工学の最近の発展により、ロボット、より具体的には人間、動物、およびその他の物体を識別するためのロボットの検出システムを支援する携帯用品の必要性が生じている。本明細書で使用される場合、「検出システム」は、環境を検出するために使用される任意のシステムである。「検出システム」は、「撮像システム」および／または「音声センサシステム」の少なくとも１つを含む。本明細書で使用される場合、「画像化システム」は、可視光、レーダ、赤外光、および紫外光を含むが、これらに限定されない任意の形態の光を検出／感知する任意のシステムである。本明細書で使用される場合、「オーディオセンサシステム」は、ソナーおよび超音波を含むが、これらに限定されない任意の形態で音を検出／感知する任意のシステムである。すなわち、検出システムによって識別できる、衣料品および付属品などであるが、これらに限定されない携帯用品が必要である。そのような携帯用品は、ユーザがほとんどの時間持ち運ぶのに、十分なほど軽量でなければならない。そのような携帯用品はまた、ユーザがほとんどの時間を喜んで持ち運ぶものでなければならない。例えば、ファッショナブルなものに応じて、通常は、検出システムによって識別可能な明るい色、または対照的な色は、多くのユーザにとって許容できない場合がある。したがって、ユーザが許容できる、いくつかのパターンを含む携帯用品が必要である。
【発明の概要】
【０００４】
これらの必要性および他の必要性は、持ち運び可能な本体および持ち運び可能な本体に配置された多数のパターンを含む、持ち運び可能な物品を提供する開示および請求された概念によって満たされる。パターンは、パブリックパターン、検出可能なパターン、可視パターン、埋め込みパターン、カモフラージュパターン、不可視パターン、方向パターン、集合パターン、外部パターン、内部パターン、イルミネートされた（illuminated）パターン、適用パターン、および３次元パターンからなるグループから選択される。本明細書に開示されたパターンは、検出システムによる、より早く、より良い検出のために歩行者の視認性を向上させる。これにより、ドライバーまたは自動化システムが応答し、衝突やニアミスの可能性を減らすための時間が長くなる。したがって、本明細書で開示されるパターンは、上記の問題を解決する。このパターンは、サイクリストや歩行者などのユーザの検出システムへの可視性を高めるために使用される。本発明の完全な理解は、添付の図面と併せて読まれるときに、好ましい実施形態の以下の説明から得ることができる。
【図面の簡単な説明】
【０００５】
【図１】検出システムと携帯用品を装着したユーザを含む乗り物の概略図である。
【図２】パターンを含むアクセサリの概略図である。
【図３】種々のパターンを含むシャツの概略前面図である。
【図４】種々のパターンを含む他のシャツの概略前面図である。
【図５Ａ】パターンを含む他のシャツの概略前面図である。
【図５Ｂ】パターンを含むシャツの概略背面図である。
【図６】３Ｄパターンを含むシャツの概略前面図である。
【図６Ａ】３Ｄ素材の詳細図である。
【図７】３Ｄパターンを含む他のシャツの概略前面図である。
【図７Ａ】他の３Ｄ素材の詳細図である。
【発明を実施するための形態】
【０００６】
本明細書中の図に示され、以下の明細書に記載される特定のエレメントは、開示の概念の単なる例示的な実施形態であり、例示のみを目的として非限定的な例として提供されることが理解されよう。したがって、本明細書に開示される実施形態に関連する特定の寸法、向き、アセンブリ、使用されるコンポーネントの数、実施形態の構成および他の物理的特徴は、開示される概念の範囲を限定すると見なされるべきではない。
【０００７】
本明細書で使用される方向句（例えば、時計回り、反時計回り、左、右、上部、下部、上方向、下方向、およびそれらの派生語）は、図面に示されるエレメントの向きに関連し、そうではないことが明示的に記載されない限り、特許請求の範囲を限定しない。
【０００８】
本明細書で使用される「１つ（ａ）」、「１つ（ａｎ）」、および「その（ｔｈｅ）」の単数形は、文脈が明らかに他のことを指示しない限り、複数の参照を含む。
【０００９】
本明細書で使用される場合、「［動詞］に構成される」は、識別されたエレメントまたはアセンブリが、識別された動詞を実行するように形作られ、サイズが決められ、配置され、結合され、および／または構成される構造を有することを意味する。例えば、「移動するように構成された」部材は、別のエレメントに移動可能に結合され、部材を移動させるエレメントを含み、または他の方法で、他のエレメントまたはアセンブリに応答して移動するように構成されている。したがって、本明細書で使用される場合、「［動詞］に構成された」は、構成を記載し、機能を記載しない。さらに、本明細書で使用される場合、「動詞］に構成された」は、識別されたエレメントまたはアセンブリが、識別された動詞を実行することを意図し、設計することを意味する。したがって、識別された動詞を単に実行することができるが、識別された動詞を実行するように設計されていないエレメントは、「[動詞]に構成」されていない。
【００１０】
本明細書で使用される場合、「関連する」とは、エレメントが同じアセンブリの一部であり、かつ／または一緒に動作するか、または何らかの方法で互いに作用することを意味する。たとえば、自動車には4つのタイヤと4つのハブキャップがある。すべてのエレメントが自動車の一部として結合されているが、各ハブキャップは、特定のタイヤに「関連付けられている」ことが理解される。
【００１１】
本明細書で使用される場合、「カップリングアセンブリ」は、２つ以上のカップリングまたはカップリングコンポーネントを含む。カップリングまたはカップリングアセンブリのコンポーネントは、通常、同じエレメントまたは他のコンポーネントの一部ではない。したがって、「カップリングアセンブリ」のコンポーネントは、以下の説明では、同時に説明されない場合がある。
【００１２】
本明細書で使用される場合、「カップリング」または「カップリングコンポーネント」は、カップリングアセンブリの１つまたは複数のコンポーネントである。すなわち、カップリングアセンブリは、一緒に結合されるように構成された少なくとも２つのコンポーネントを含む。カップリングアセンブリのコンポーネントは、互いに互換性があることが理解される。たとえば、カップリングアセンブリでは、一方のカップリングコンポーネントが、スナップソケットの場合、もう一方のカップリングコンポーネントは、スナッププラグである。一方のカップリングコンポーネントが、ボルトの場合、もう一方のカップリングコンポーネントは、ナットである。
【００１３】
本明細書で使用される「ファスナ」は、２つ以上のエレメントを結合するように構成された別個のコンポーネントである。したがって、たとえば、ボルトは「ファスナ」であるが、さねはぎ継ぎ（tongue-and-groove coupling）は「ファスナ」ではない。つまり、さねはぎエレメントは、結合されるエレメントの一部であり、別個のコンポーネントではない。
【００１４】
本明細書で使用される場合、２つ以上の部品またはコンポーネントが「結合」されているという記述は、リンクが発生する限り、部品が直接または間接的に、つまり1つ以上の中間部品、またはコンポーネントを介して結合、または動作することを意味するものとする。本明細書で使用される場合、「直接結合された」は、２つのエレメントが互いに直接接触していることを意味する。本明細書で使用される場合、「固定的に結合された」または「固定された」とは、互いに対して一定の配向を維持しながら、２つのコンポーネントが１つとして動くように結合されることを意味する。したがって、２つのエレメントが結合されると、それらのエレメントのすべての部分が結合される。しかしながら、第２のエレメントに結合されている第１のエレメントの特定の部分の説明、例えば、 第１の車輪に結合されている車軸の第１の端部は、第１のエレメントの特定の部分が、他の部分よりも第２のエレメントの近くに配置されることを意味する。さらに、重力によってのみ、所定の位置に保持されている別のオブジェクト上にあるオブジェクトは、上部オブジェクトが、実質的に所定の位置に維持されない限り、下部オブジェクトに「結合」されない。すなわち、例えば、テーブル上の本は結合されず、テーブルに接着された本が結合される。
【００１５】
本明細書で使用する「取り外し可能に結合された」または「一時的に結合された」という語句は、あるコンポーネントが本質的に一時的な方法で別のコンポーネントと結合されることを意味する。すなわち、２つのコンポーネントは、コンポーネントの結合または分離が容易であり、コンポーネントを損傷しないように結合される。たとえば、簡単にアクセスできる限られた数のファスナ（つまり、アクセスが困難ではないファスナ）で互いに固定された２つのコンポーネントは「取り外し可能」に結合され、溶接またはアクセスが困難なファスナによって接合された２つのコンポーネントは「取り外し可能」に結合されない。「ファスナにアクセスするのが難しい」とは、ファスナにアクセスする前に、１つまたは複数の他のコンポーネントの除去を必要とするものであり、「他のコンポーネント」は、これに限定されないが、ドアのようなアクセス装置ではない。
【００１６】
本明細書で使用するとき、「一時的に配置される」とは、第１のエレメントまたはアセンブリが、第１のエレメント（複数の場合もある）またはアセンブリ（複数の場合もある）が、第１のエレメント／アセンブリが第１のエレメントを分離する必要なく、または第１のエレメントを操作する必要なく、移動可能な方法で第２のエレメント（複数の場合もある）またはアセンブリ（複数の場合もある）上にあることを意味する。例えば、単にテーブルの上に置かれた本は、すなわち、本がテーブルに接着または固定されていない場合には、テーブル上に「一時的に廃棄」される。
【００１７】
本明細書で使用するとき、「動作可能に結合される」とは、それぞれが第１の位置と第２の位置、または第１の構成と第２の構成の間で移動可能な、多数のエレメントまたはアセンブリが結合され、それにより、第１のエレメントが 1つの位置/構成から別の位置/構成へ移動するにつれ、第２のエレメントも同様に、位置/構成間を移動する。第１のエレメントは、逆が真でなくても、別のエレメントに「動作可能に結合」されてもよいことに留意されたい。
【００１８】
本明細書で使用される場合、「対応する」は、２つの構造コンポーネントが、互いに類似するようなサイズおよび形状であり、最小量の摩擦で結合され得ることを示す。したがって、部材に「対応する」開口は、部材がわずかな大きさの摩擦で、開口を通過できるように、部材よりもわずかに大きいサイズである。この定義は、２つのコンポーネントが「ぴったり」合う場合に変更される。そのような状況では、コンポーネントのサイズの違いが、さらに小さくなり、摩擦の量が増加する。開口部を画定するエレメントおよび／または開口部に挿入されるコンポーネントが、変形可能または圧縮可能な材料から作製される場合、開口部は、開口部に挿入されるコンポーネントよりも、わずかに小さくさえあり得る。表面、形状、および線に関して、２つ以上の「対応する」表面、形状、または線は、概して同じサイズ、形状、および輪郭を有する。
【００１９】
本明細書で使用される場合、「移動経路」または「経路」は、移動するエレメントに関連して使用される場合、移動中に、エレメントが移動する空間を含む。したがって、本質的に移動するエレメントには「移動経路」または「経路」がある。さらに、「移動経路」または「経路」は、別のオブジェクトに対して、全体として識別可能な構成物の動きに関する。たとえば、完全に滑らかな道路を想定すると、自動車上の回転車輪（識別可能な構成）は、一般的に自動車のボディ（別のオブジェクト）に対して移動しない。すなわち、車輪は、全体として、例えば、隣接するフェンダーに対してその位置を変更しない。したがって、回転する車輪は、自動車の本体に対して「移動経路」または「経路」を持たない。逆に、その車輪の空気入口バルブ（識別可能な構造）には、自動車の車体に対して「移動経路」または「経路」がある。つまり、車輪が回転して動いている間、吸気バルブ全体が、自動車のボディに対して移動する。
【００２０】
本明細書で使用されるように、２つ以上の部品またはコンポーネントが互いに「係合する」という記述は、エレメントが、直接または１つ以上の中間エレメント、またはコンポーネントを通して相互に、力またはバイアスを及ぼすことを意味する。さらに、可動部分に関して本明細書で使用されるように、可動部分は、ある位置から別の位置への移動中に、別のエレメントに「係合」し、かつ／または、記載された位置に入ると、別のエレメントに「係合」し得る。したがって、「エレメントＡがエレメントＡの最初の位置に移動すると、エレメントＡがエレメントＢに係合する」、および「エレメントＡがエレメントＡの最初の位置にある場合、エレメントＡがエレメントＢに係合する」という記述は、同等の記述であり、そのエレメントＡは、エレメントＡの第１の位置に移動する間に、エレメントＢと係合する、および／またはエレメントＡは、エレメントＡの第１の位置にある間に、エレメントＢと係合するということを意味することが理解される。
【００２１】
ここに使用されるように、「動作可能に係合する」は、「係合して移動する」を意味する。すなわち、「動作可能に係合する」は、移動可能なまたは回転可能な第２のコンポーネントに移動するように構成される第１のコンポーネントに関連して使用されるとき、第１のコンポーネントが、第２のコンポーネントを移動させるのに十分な力を印加することを意味する。例えば、スクリュードライバは、スクリューに接触して配置することができる。スクリュードライバに力が印加されないとき、スクリュードライバは、単にスクリューに「結合」される。ドライバーに軸方向の力が加わると、ドライバーがねじに押し付けられ、ねじに「係合」する。しかしながら、回転力が、スクリュードライバに印加されると、スクリュードライバは、スクリューと動作可能に係合し、スクリューを回転させる。
【００２２】
本明細書で使用するとき、「依存する（depending）」は、方向に関係なく、別のエレメントからゼロ（０°）以外の角度で延びることを意味する。すなわち、例えば、「依存する」側壁は、基部から概ね上方に延伸することができる。さらに、「依存する」側壁は、本質的に、遠心端を有する。
【００２３】
本明細書で使用される場合、「単一の」という用語は、単一のピース（piece）またはユニットとして作成されるコンポーネントを意味する。すなわち、別々に作成されてユニットとして一緒に結合されるピースを含むコンポーネントは、「単一の」コンポーネントまたはボディではない。
【００２４】
本明細書で使用される場合、「数」という用語は、１または１よりも大きい整数（すなわち、複数）を意味するものとする。したがって、例えば、「エレメントの数」は、１つのエレメントまたは複数のエレメントを意味する。
【００２５】
本明細書で使用される場合、「［ｘ］が第１の位置と第２の位置の間で移動する」または「［ｙ］が第１の位置と第２の位置の間で［ｘ］を移動させる」フレーズにおいて、「［ｘ］」は、エレメントまたはアセンブリの名前である。さらに、［ｘ］が複数の位置間を移動するエレメントまたはアセンブリである場合、「その」という用語は「［ｘ］」、すなわち、代名詞「その」の前にある、名前付きエレメントまたはアセンブリを意味する。
【００２６】
本明細書で使用する場合、「[エレメント、点または軸]の周りに配置」、「[エレメント、点または軸]の周りに拡張」、または「[エレメント、点または軸」の周りに[Ｘ]度などの語句の「周り（about）」は、取り囲む（encircle）、周りに広がる（extend around）、または周りを測定する（measured around）ことを意味する。測定に関して、または同様の方法で使用される場合、「約（about）」は、「およそ（approximately）」、すなわち、当業者によって理解されるように、測定に関連するおおよその範囲であることを意味する。
【００２７】
本明細書で使用する場合、円形または円筒形の本体の「半径方向の側面/表面」は、その中心またはその中心を通過する高さ線の周りに延びる、またはそれを囲む側面/表面である。本明細書で使用する場合、円形または円筒形の本体の「軸方向側面/表面」は、中心を通過する高さ線に、ほぼ垂直に延びる平面に延びる側面である。すなわち、一般に、円筒形のスープ缶の場合、「半径方向の側面/表面」は概ね円形の側壁であり、「軸方向の側面/表面」はスープ缶の上部と下部である。さらに、本明細書で使用される場合、「半径方向に延びる表面」は、概して半径方向線に沿って延びる平面によって画定される表面、および／または軸方向表面に対して、概して垂直な表面を意味する。
【００２８】
本明細書で使用される場合、「一般的に曲線（generally curvilinear）」は、複数の湾曲部分、湾曲部分と平面部分の組み合わせ、および互いに対してある角度で配置され、それによって曲線を形成する複数の平面部分またはセグメントを有するエレメントを含む。本明細書で使用される場合、「一般に（generally）」は、当業者によって理解されるように修飾される用語に関連する「一般的な方法で」を意味する。本明細書中で使用される場合、「実質的に」は、当業者によって理解されるように修飾される用語に関連する「大部分」を意味する。本明細書で使用される場合、「で（at）」は、当業者によって理解されるように、修飾されている用語上に、および／または近くに、関連していることを意味する。
【００２９】
本明細書で使用される場合、「携帯用本体（portable body）」とは、ユーザが着用するか、または限定はしないが、人力車両、自転車、電気自転車、強化人力車両、モペット、またはスクータなどの車両に結合されるように構成される構造を意味し、「アパレル」、「ファッションアパレル」、および「アクセサリ」が含まれ、これらの用語は以下に定義される。
【００３０】
本明細書で使用される「アパレル」とは、制服、帽子、シャツ、スウェットシャツ、ベスト、パンツ/ズボン、ベルト、靴下、靴、ジャケット/コート、手袋、ブーティ（booties）/ゲートル（gaiters）など、人間が着用するように構成された衣服を意味する。「アパレル」には、レギンス（leggings）や安全メガネなどの運動用アパレル、反射ベストなどのハンティングアパレル、スカーフやパーカーなどの季節用アパレルなど、特定の活動または目的のために構成されたアイテムも含まれる。
【００３１】
本明細書で使用される「ファッションアパレル」は、安全アパレル（例えば、安全ベスト）であることを意図せず、当業者が視覚的安全エレメントを組み込まない「アパレル」を意味する。「ファッションアパレル」は、レスポンダーなし（non-responder）のユニフォーム（例：学校のユニフォーム）、屋内スポーツユニフォーム、カモフラージュアパレル（カモフラージュデザインの「カモフラージュパターン」が付いたアパレルを意味する）、衣装、イブニングウェア、カジュアルなワークウェア（Le.,「カジュアルな金曜日」に受け入れられるアパレル）を含む。「ファッションアパレル」には、ファーストレスポンダーのユニフォーム（警察、消防、救急医療サービス、軍のユニフォームなど）、アウトドアスポーツユニフォーム、反射服（オレンジのハンティングベストなど）、および類似のアパレルは含まれない。
【００３２】
本明細書で使用される場合、「付属品」は、人間または他の生物によって携行される物体、ならびに非人間のための衣服のような物体を意味する。すなわち、スポーツ用品、ヘルメット、財布、ブリーフケース、歩行器、車椅子および介助動物用ベストは、「付属品」の非限定的な例である。さらに、「アクセサリ」は、衣料品または別のアクセサリなどの別のエレメントに一時的に結合されるように構成されたエレメントを含む。例えば、フックアンドループ（hook-and-loop）結合コンポーネントによってバックパックに結合されるように構成されたパッチは、「アクセサリ」である。
【００３３】
本明細書で使用される「スポーツ用品」とは、バックパック、ファニーパック（fanny backs）/バムバッグ（bum bags）、ジムバッグ、スケートボード、自転車、水筒、動物の鎖／用具などのスポーツやレジャー活動に使用される非アパレルアイテムを意味する。
【００３４】
本明細書で使用される場合、「パターン」は、しるし（indicia）を意味し、検出システムが識別するように構成されているしるしを含むが、これに限定されない。さらに、「パターン」は、その上に、またはその中にパターンが配置されるエレメントおよび／または基板（substrate）に関して機能を実行するしるしを意味する。すなわち、しるしが、その上に、またはその中にパターンが配置されるエレメントおよび／または基板に関して、機能を実行しない場合、しるしは、本明細書で定義される「パターン」ではない。審美的に心地よいデザイン、例えば「絞り染め」デザインは、「パターン」ではない。そのようなデザインは、目に心地よい以外の機能を果たさないからである。「パターン」は、エレメントの表面に配置され、エレメントの表面の下に配置され、および／またはエレメントに統合される。例えば、赤と緑の糸で作られた格子縞のパターン、または「アイロンがけ」のデカール（decal）は、エレメントの表面のパターンを定義する。ファブリックの下に配置されたレーダ反射フォイルは、エレメントの表面の下に配置されたパターンの例である。繊維に織り込まれた光ファイバー構造物は、光ファイバー糸の先端が光を放出するか、または繊維に組み込まれた発光ダイオードが、エレメントに組み込まれるパターンの例である。これらは、非限定例であることが理解される。さらに、「パターン」という用語は、それぞれが「公開」、「検出可能」、「非表示」、「埋め込み」、「非表示」、「向き」「集合」、「外部」、「内部」、「イルミネートされた」、「適用」、「オーディオ」、「３次元」（または「３Ｄ」）、またはこれらの用語の組み合わせなどの、一連の特性を示すいくつかの用語によって選択可能に変更される。例えば、「パターン」は、「パブリックな検出可能なパターン」として識別されてもよく、これは、パターンが「パブリックな」パターンおよび「検出可能な」パターンの特性を含むことを意味する。
【００３５】
本明細書で使用される「公開」パターンは、警告標識で使用される任意のしるしを意味する。非限定的な例として、赤または黄色の境界線が付いた三角形、黄色のひし形、およびオレンジ色のひし形はすべて一般的な警告サインであり、したがってこれらは「パブリックパターン」である。
【００３６】
本明細書で使用するとき、「検出可能な」パターンは、検出システムによって検出可能な、または自然には見られず、したがって検出システムによって検出可能である設計/構成を含む、材料から作られたパターンを意味する。さらに、「検出可能なパターン」は、パターンのベクトル（すなわち、位置と速度（speed/velocity））に関連した情報を生成するように構成されたパターンを意味する。「検出可能なパターン」という用語は、本明細書では「レーダ」、「レーザ」、「ライダー（lidar）」、「ソナー」、「カメラ」、または他の任意の電磁検出技術によっても変更される。「ライダー」には、赤外光、可視光、紫外光のサブカテゴリも含まれる。本明細書で使用される修飾語句は、「検出可能なパターン」が検出されるように構造化される特定のタイプの検出システム、および材料がどのようなタイプの波に構造化され、反射するかを示す。本明細書で使用される場合、「波」は、これらに限定されないが、光波またはレーダ波などの電磁構造、ならびにこれらに限定されないが、音波、ソナー波または超音波などのオーディオ構造を意味する。適切な場合、「波」は「光」としても識別される。例えば、「レーダ検出可能パターン」は、電波を反射するように構築された材料、および電波を反射する材料から作られ、「レーザ検出可能パターン」は、レーザ光を反射するように構築された材料、およびレーザ光を反射する材料から作られ、「ライダー検出可能なパターン」は、光を反射するように構築された材料および光を反射する材料から作られ、「可視光検出可能なパターン」は、可視光を反射するように構築された材料および可視光を反射する材料から作られる。ソナーパターンは、音波を反射するように構成されたパターンである。これに限定されないが、交通標識、すなわち「パブリック」パターンなどのエレメントは、そのような標識が検出システムによって検出できるように、特に構成されていないという点で、それ自体は「検出可能な」パターンではない。しかしながら、パターンは、「パブリック」と「検出可能」の両方であり得る。例えば、レーダ反射エレメントが、その中にあるパターンで配置されている木製の交通標識は、「公共の検出可能なパターン」である。
【００３７】
本明細書で使用される「レーダ増強」パターンは、レーダエネルギをいくつかの送信レーダアンテナ、トランシーバまたはレーダ受信機に直接反射するように構成され、レーダエネルギを反射するレーダ増強エレメントを含むパターンである。
【００３８】
本明細書で使用される場合、「配向」パターンは、検出システムが、「配向」パターンが配置される「構築物の特徴」を決定するために使用する情報を、含むまたは提供するパターンを意味する。本明細書で使用される「構築物の特徴」は、配向、位置、方向、および速度のいずれかを意味する。例えば、例示的な実施形態では、「配向」パターンは、特定のサイズである赤い境界線を有する三角形を含む。配向三角形パターン（orienting triangle pattern）に関連するデータが提供されると、検出システムは、配向三角形パターンの見かけのサイズに基づいて、配向三角形パターンと検出システムセンサとの間の距離を決定するように構成され、決定する。つまり、検出システムセンサによって検出されたときに、配向三角形パターンが小さく見える場合、それは遠く離れている。逆に、検出系センサで検出したときに配向三角形パターンが大きく見える場合は、近くにある。検出システムは、配向三角形パターンの見かけのサイズに基づいて、一般に正確な距離を決定するように構成され、決定する。「配向」パターンも構造化され、動きと速度のベクトルを決定する。
【００３９】
本明細書で使用される場合、「集合的」パターンは、複数の、より小さいパターンを含むパターンを意味し、すなわち、より小さいパターンは、異なるタイプのセンサによって検出されるように構成される。本明細書で使用される場合、「目に見える」パターンとは、そのパターンが人間の目には見え、明白であることを意味する。
【００４０】
本明細書で使用される場合、「埋め込まれた」パターンは、パターンが人間の目に見えることを意味するが、目立たない方法で別の画像やパターンに組み込まれている。本明細書で使用される場合、「目立たない方法で」とは、埋め込まれたパターンが、他の画像またはパターンと比較して目立たないことを意味する。例えば、市松模様のパターンでは、色相がわずかに変化する、選択された正方形が「埋め込み」パターンを形成する。別の例として、星で満たされた夜空の画像では、選択された星は、「埋め込まれた」パターンを形成する反射材料から作られる。
【００４１】
本明細書で使用される場合、「カモフラージュ」パターンは、一般に人間の目では見えない。つまり、カモフラージュパターンは、目に見えるパターン、画像、または背景色と調和する。例えば、典型的な「バーコード」の画像が複数の垂直な木の幹に組み込まれた、複数の垂直な木の幹を含む森の画像は、「カモフラージュ」パターンを含む画像である。
【００４２】
本明細書で使用される場合、「見えない」パターンは、人間の目には見えない。つまり、パターンは人間の目では検出できない光を反射する。たとえば、人間の目には真っ黒に見えるが、レーダセンサで検出可能なバーコードの画像も含む画像において、バーコードは「見えない」パターンである。
【００４３】
本明細書で使用される場合、「外部」パターンは、パターンを含むエレメントの表面上に、または部分的に配置されたパターンを意味する。例えば、布地にスプレーされたコーティング、または布地に織り込まれた、糸の一部が露出している糸は、「外部」パターンである。
【００４４】
本明細書で使用される「内部」パターンは、パターンを含むエレメントの表面の下に配置されたパターンを意味する。例えば、布の下に配置されたレーダ検出可能なパターンは「内部」パターンである。「内部」パターンは、人間の眼には直接見えない。本明細書で使用される場合、「イルミネートされた」パターンは、光を放出する、すなわち、光が反射波ではない、パターンを意味する。光は、赤外光、可視光、紫外光を含む。
【００４５】
本明細書で使用される場合、「適用された」パターンは、パターンが、その上にパターンが配置される基板またはエレメントの一部ではないか、またはそれとともに形成されないことを意味する。例えば、コーティングとして適用されるパターンは、「適用された」パターンである。同様に、最初に1つの基板上にあり、その後、別の基板に転写されるパターン、つまりデカール（decal）は「適用された」パターンである。
【００４６】
本明細書で使用する場合、「三次元」または「３Ｄ」パターンは、その上／中にパターンが配置されるエレメントの、距離、方位（orientation）、回転、速度、方向（direction）、速度のいずれかまたはすべてを決定するのに役立つデータを検出システムに提供するように構造化されたパターンを意味する。また、「３Ｄ」パターンとは、向きによらず波を反射するように構成されたパターンを意味する。すなわち、懐中電灯が反射平面上でダイレクトに光っている場合、すなわち、平面に対して９０度で光っている場合、ほとんどの光は反射して懐中電灯に戻り、９０度の入射角で最大反射面が作成される。表面が懐中電灯に対して傾斜している場合、一部の光は懐中電灯から反射される。さらに、角度が鋭角になるほど、懐中電灯に戻る以外の方向に反射する光が多くなる。本明細書で使用される場合、「３Ｄ」パターンは、実質的に任意の向きで波を反射するように構造化されたパターンを意味する。例示的な一実施形態では、「３Ｄ」パターンは階段に似ている。すなわち、単一の平面ではなく、互いに９０度の角度で複数の平面がある。言い換えると、平面は２つの異なる方向を向いている。パターンがこの形状の場合、第1の表面に直接（９０度で）照らす懐中電灯は、０度で第２の表面に照らす。したがって、最初の面は、ほとんどの光を反射して懐中電灯に戻す。この例示的な３Ｄパターンが移動／回転されると、懐中電灯は、第１の表面に対して９０度ではなく、第２の表面に対しても０度ではない。従って、第１の表面は、より少ない光を反射するが、第２の表面は、より多くの光を反射する。したがって、３Ｄパターンにおいて、光の少なくともいくつかは、光源で反射される。つまり、少なくとも1つの表面は、波の発生源に平行ではなく、したがっていくらか反射する。さらに、例示的な実施形態では、「３Ｄ」パターンは、最小の散乱で光源に光を反射するデバイス、または表面である逆反射体（逆反射体またはカタフォト（cataphote）とも呼ばれる）を含む。再帰反射器（retroreflector）では、電磁波の波面は、波の発生源と平行だが、方向が反対のベクトルに沿って反射される。
【００４７】
さらに、「強化された３次元」パターンは、「３次元」パターンが動いていないときよりも、動いているときに反射率が高くなるように構造化された「３次元」パターンである。例えば、「強化された３次元」パターンは、複数のファセット（facets）を有するエレメントを含み、エレメント／ファセットは２つ以上の方向を向き、波／光を反射するように構成されている。そのようなパターンが動いているとき、波/光は、エレメント/ファセットから常に反射しないことが理解され、したがって、パターンはより簡単に検出される。概してランダムな「強化された３次元」パターンの例として、反射面は、ランダムにくしゃと丸められ（randomly crumpled into a ball）、次に概して平面的なシートに再形成されたアルミホイルから作られる。フォイルには、それぞれが異なる角度で光を反射する「ファセット」を形成する多くの折り目と変形がある。したがって、光源は、第１の向きで１つのファセットから直接反射され、別の向きで別のファセットから直接反射されることがある。
【００４８】
本明細書で使用するとき、携帯型本体に配置されたパターンの「生産的」位置（複数の場合もある）は、パターンが検出システムに、かなりの量の使用可能な情報を提供するように構成された位置に配置されることを意味する。そのような「生産的な」場所は、しるしが使用可能な情報を人間に伝達する場所と同じであっても、なくてもよいことが理解される。例えば、自転車のライダーのシャツの後ろに配置されたパターンは、検出システムだけでなく、人間にも使用可能な情報を伝える。逆に、自転車に乗る人のズボン（pants）/ズボン（trousers）の膝領域の後ろに配置されたパターンは、使用可能な情報を人間に伝達しない可能性が高く、検出システムに使用可能な情報を伝達する。
【００４９】
本明細書で使用される「集合」パターンの場合、「集合」パターンにおけるパターンの「協調的」構成は、パターンが、増加した（enhanced）使用可能情報量を検出システムに提供するように構成されたロケーションに配置される、選択されたサイズ（複数の場合もある）の選択された数のパターンを含むことを意味する。本明細書で使用する場合、「使用可能な情報の量が増加する」とは、パターンが、パターンの断面積を増加させ、パターンを有する物体の動き、および動きの予測に関する情報を検出システムに提供することを意味する。
【００５０】
本明細書で使用する場合、「識別子」は、一般に一意であり、「識別子」を有するオブジェクトの性質に関連する特定の特性セットに関連するように構造化されているパターンである。例えば、（典型的には視覚障害に関連する）白い杖は、画像システムが視覚障害を有する人に関連する「識別子」を含む。本明細書で使用する場合、「ほぼ一意」とは、パターンまたは識別子が、開示された特定の特性セット用に特別に作成され、パターンまたは識別子の他のインスタンスが特定の特性セットに関連付けられていないことを意味する。本明細書で使用される場合、「光」は、電磁放射を意味し、可視光線、赤外線、紫外線、ならびにガンマ線、Ｘ線、マイクロ波、および電波の1つまたは複数を含む。
【００５１】
図１に示されるように、一般に、検出システム１（概略的に示される）は、センサアセンブリ２、通信デバイス３、プロセッサデバイス４、および出力デバイス５を含む。例示的な実施形態では、検出システム１は、画像化システム３０および／または音声センサアセンブリ４０の一方または両方を含む。以下の例では、検出システム１の代表として画像化システム３０を使用する。例示的な実施形態では、検出システム１、または画像化システム３０は、自動運転車両６の一部である。一実施形態では、センサアセンブリ２は、限定されないが、電波などの選択された周波数の光または光を送信するように構成され、送信する送信機システム７を含む。この実施形態では、センサアセンブリ２はまた、送信機システム７に関連する、一般的に同じ周波数の光を受信または検出するように構成され、受信しまたは検出する、受信機アセンブリ８を含む。既知のセンサアセンブリ２には、レーダ（無線の検出と測距）、ライダー（光の検出と測距）、レーザレンジファインダー、カメラ、ソナー（サウンドナビゲーションと測距）、およびその他の電磁検出方法が含まれるが、これらに限定されない。
【００５２】
別の実施形態では、センサアセンブリ２は、送信機システム７を含まず、受信機アセンブリ８に限定される。そのような受信機アセンブリ８は、そのようなカメラのデジタル実施形態を含む、カメラおよびビデオカメラを含むが、これらに限定されない。
【００５３】
図１はまた、検出システム１によって認識されるように構成された携帯用品１０を使用するユーザを示す。例示的な実施形態では、携帯用品１０は、衣料品、ファッション衣料、またはアクセサリの１つである。図１に示す実施形態では、携帯用品１０はシャツ１２である。しかしながら、携帯用品１０は、例示的な実施形態では、本明細書で使用される場合、任意の衣料品１４、任意のファッション衣料１５、アクセサリ１６、または異なる衣料品１４、ファッション衣料１５、および/またはアクセサリ１６の異なる洋品の組合せであることが理解される。すなわち、図２に示すように、他の実施形態において、携帯用品１０は、バックパックとして示されるアクセサリ１６である。アパレル１４、ファッションアパレル１５、または以下に説明するパターン５０を有するアクセサリ１６の他の例には、水筒、帽子、ヘルメット、靴、ブリーフケース、および安全ベスト（図示せず）が含まれる。以下の記述は、一例として図３のシャツ１２を使用する。
【００５４】
携帯用品１０は、携帯用本体２０と、携帯用本体２０上のいくつかの生産的な場所に配置された、いくつかのパターン５０とを含む。一般に、パターン５０の数には、パブリックパターン５２（警告として示される）、検出可能なパターン５４（カメラによって検出可能な可視パターン５７として示される）、レーダ増強パターン５６（レーダ反射ビーズ８３から作られたパターンとして示される）、可視パターン５７（太陽パターンのデカールとして示される）、埋め込まれたパターン５８（例示的な実施形態では、レーダ反射ビーズ８３は、ファブリック（fabric）２２に埋め込まれる）、カモフラージュパターン６０（ファブリック２２に埋め込まれた反射ビーズ８３は、一般に人間の目では見えない）、不可視パターン６２（反射ビーズ８３は、レーダ、人間の目では検出できない光を反射するように構成されている））、配向パターン６４（「水平線上の太陽」は、ほぼ水平軸を中心とした非対称パターンとして示され、したがって、検出システム１は、配向パターン６４を使用して、例えば、シャツ１２）、集合パターン６６、外部パターン６８、内部パターン７０を決定することができる。さらに、図４に示すように、シャツ１２として示される携帯用品１０は、イルミネートされたパターン７２を含む。すなわち、この実施形態のシャツ１２は、埋め込まれた発光ダイオード（ＬＥＤ）１００と、適用されたパターン７４（図３、上記のように、パターンはファブリック２２に適用されたデカールである）と、および３次元パターン７６と電気的に通信している電源９５を含む。本明細書で一般的に使用されるように、参照番号「５０」は、上で示された特性の１つまたは複数をも含むすべてのパターンを識別するために使用される。すなわち、以下では、任意のパターン５０は、一般的に、参照番号「５０」によって識別され、参照番号５２−７６は一般的に使用されない。さらに、例示的な実施形態では、パターン５０は、２つ以上の特性を有し、したがって、単一のパターン５０が、複数の特性を実証するために使用されることが理解される。
【００５５】
例えば、図３に示すように、携帯用本体２０は、シャツ１２として構成されたファブリック２２である。例示的な実施形態では、パターン５０（１つが示されている）は、検出システム１、すなわち画像化システム３０によって検出可能であるように構成されている。すなわち、パターン（複数の場合もある）は、光を反射するように構成された素材から形成される。
【００５６】
例示的な実施形態では、パターン５０は、反射エレメントが０．０４６インチ以下の間隔であるが、ゼロの間隔ではないレーダ反射材料から作製される。知られているように、この量だけ間隔を置いて配置された反射エレメントは、通常、レーダ検出器によって固体として検出される。あるいは、パターン５０は、図４で概略的に示される、音波を反射するように構造化された材料（以下、「ソナー」材料８９）で作られる。すなわち、図４では、太陽パターン５０は、ソナー反射エレメントまたは「ソナーパターン」８８である。例示的な実施形態では、パターン５０は、図３に示すように、波反射材料から作られた一連の同心円５１を含む。さらに、パターン５０は、インクでファブリック２２の外面に印刷または塗布され、人間の目で見ることができる。しかしながら、パターン５０は、円形画像５３内に配置される。したがって、パターン５０は、円形画像に「埋め込まれる」。この実施形態では、パターン５０は、検出可能な、目に見える、埋め込まれた、外部の、適用されたパターン５０である。さらに、パターン５０は、図示されるように、シャツ１２の前胴上にある有効な位置（productive location）に配置される。図３に示すように、多数のパターン５０が、胴体上および各肩上の複数の位置を含む、複数の位置に配置される。したがって、パターン５０は、集合的パターン７８と協調的構成７９の両方内にある。
【００５７】
図５Ａおよび５Ｂに示す別の例示的な実施形態では、携帯用本体２０は、今度はジャケット１３として構成されたファブリック２２である。ジャケット１３は、外層（番号付けされていない）およびライナー（概略的に示されている）を含む複数の材料層を有する。この実施形態では、パターン５０は、逆反射材料８０および金属糸８２を含むか、または、逆反射材料８０と金属糸８２からなる、または本質的に逆反射材料８０と金属糸８２からなるグループから選択される材料から作製されるレーダ検出可能なパターン５０である。レーダ検出可能パターン５０は、革の外面とライナーとの間に配置されているインサーション（insert）８４に提供されている。したがって、この例では、パターン５０は、レーダ検出可能な内部パターン５０である。さらに、これに限定されないが、ガラスビーズ８７（概略的に示される）のような逆反射材料８０が人間の目で見ることができない実施形態では、パターン５０は、レーダ検出可能な不可視の内部パターン５０である。
【００５８】
例示的な実施形態では、レーダ検出可能で不可視の内部パターン５０は、グリッド状構成で配置されたレーダ反射エレメントを含む。すなわち、この実施形態では、シャツ１２は、グリッドに配置され、約０．０４６インチ離間された、これに限定されない、ガラスビーズ８７のような、離散的な（discrete）レーダ反射エレメント８５を含む。図４では、レーダ反射エレメント８５は、シャツ１２の、実質的にすべての表面上に配置されている。図示されていない別の実施形態では、レーダ反射エレメント８５は、選択された場所および／または有効な（productive）場所に配置される。すなわち、図示のように、レーダ反射エレメント８５は、肩および胴体の限られた領域に配置される。さらに、例示的な実施形態では、レーダ反射エレメント８５は、いくつかの導体（図示せず）を介して互いに通電している。別の例示的な実施形態では、パターン５０は、検出システム１によって選択的に作動されるか、または自動的に作動されるように構成された、レーダ検出可能なパターン５０を含む。すなわち、この実施形態では、レーダ反射エレメント８５は、半導体または選択的導電性材料を含む。例えば、一実施形態では、レーダ検出可能パターン５０は、導電性であり、オン／オフで順序付けすることができる導電性糸８６または反射性ビーズ８７を含む。あるいは、図示するように、パターン５０はＬＥＤｓ１００を含むイルミネートされたパターン７２である。ＬＥＤ１００は、選択されたシーケンスでイルミネートするように構成されている。例えば、図４に示すように、第１のＬＥＤ１００’、第２のＬＥＤ１００’’、および第３のＬＥＤ１００’’’のように構成されている。ユーザは、例えば、スイッチ９５によって、反射／照明特性を作動させる。あるいは、携帯用品１０は、受信機９６およびプログラム可能な論理回路（図示せず）を含む。この実施形態では、検出システム１は、携帯型物品の受信機９６およびプログラム可能な論理回路によって検出されたときに、イルミネートされたパターン７２を作動させる信号をブロードキャストする。さらに、例示的な実施形態では、プログラマブルロジック回路は、検出システム１に、追加の情報を提供するシーケンスで、ＬＥＤ１００をイルミネートする。例えば、ＬＥＤ１００は左から右にイルミネートし、それにより照明システム７２の方向を検出システム１に知らせる。すなわち、検出システム１は、ＬＥＤ１００がどのようにイルミネートし、それによって追加情報を検出システム１に伝達するかを理解するように構成／プログラムされる。関連する検出システム１を有するそのようなパターン５０は、本明細書で使用される場合、「ハンドシェイク」パターン７７である。すなわち、検出システム１に追加情報を伝達するように構成され、検出システム１が、追加情報を提供するようにパターン５０を作動させるように構成されているパターンは、「ハンドシェイク」パターンである。
【００５９】
図６および６Ａに示されるように、３Ｄパターン７６は、複数のファセット（facet）を有するレーダ反射材料などであるがこれに限定されない材料を含む。「３Ｄ」パターンの定義で論じたように、複数のファセットは、少なくとも１つの表面が波の発生源に平行ではないように構成され、したがって、３Ｄパターン７６は、検出システム１に対する向きに関係なく多少反射する。図６Ａに示すように、３Ｄパターン７６は、繰り返しパターンとして示されている。これは必須ではなく、パターンは、図７と７Ａに示すしわのあるパターンのようにランダムであり得る。例示的な実施形態では、３Ｄパターン７６は、強化された３次元パターンである。
【００６０】
別の例示的な実施形態では、パターン５０は、集合的な配向パターン６４、６６を含む。すなわち、パターン５０は、集合的配向パターン６４、６６が配置されている構造体の特性を決定するためにイメージングシステムが使用する情報を提供するように構成されている。すなわち、示されるように、携帯用品１０は、複数のパターン５０を含むシャツ１２であり、パターン５０は、少なくとも１つの軸に関して非対称である。この構成では、パターン５０は、異なる配向で配置されるように構成され、配置されている。この構成では、どの方向が「上」、「右」、および「左」であるかを識別するような集合的な配向パターン６４、６６である。すなわち、図示するように、配向パターン５０は、「上向き」太陽パターン９０、「右」太陽パターン９２、および「左」太陽パターン９４を含む。検出システム１は、太陽パターン９０、９２、９４の関係に基づいて、集合配向パターン６４、６６がどの方向に向けられているかを識別するように構成されている。例示的な実施形態では、この向きは、デカルト座標軸に変換される。
【００６１】
別の例示的な実施形態では、パターン５０は識別子である。例えば、示される実施形態では、携帯用品１０は、視覚障害のあるユーザに関連する白い杖（図示せず）である。この実施形態では、パターン５０、／.＜？、識別子は、検出システム１により検出可能であり、一般的に、ユニークであり、識別子を有するオブジェクトの性質に関連づけられた特性の特定のセットに関連付けられている。すなわち、この例では、識別子は、概して一意であり、検出システム１によって視覚障害を有する人と関連付けられるように構成されたパターン５０である。白杖および視覚障害は一例であり、特許請求の範囲またはこの実施形態を限定するものではないことが理解される。
【００６２】
本発明の特定の実施形態を詳細に説明してきたが、開示の全体的な教示に照らして、それらの詳細に対する様々な修正および代替が開発され得ることが当業者によって理解されるであろう。したがって、開示された特定の構成は、単なる例示であり、添付の特許請求の範囲の全容およびそのすべての均等物が与えられるべき発明の範囲に関して限定するものではない。
【図１】
2021507140.tif 000003
【図２】
2021507140.tif 000004
【図３】
2021507140.tif 000005
【図４】
2021507140.tif 000006
【図５Ａ】
2021507140.tif 000007
【図５Ｂ】
2021507140.tif 000008
【図６】
2021507140.tif 000009
【図６Ａ】
2021507140.tif 000010
【図７】
2021507140.tif 000011
【図７Ａ】
2021507140.tif 000012
【国際調査報告】
2021507140.tif 000013